(57)【要約】【課題】太陽光が入射する窓から離れた室内の奥側でも充分に明るくできる太陽光採光装置を提供する。【解決手段】窓４２から入射する太陽光を屋内の天井４４に向けて反射する太陽光採光装置において、該窓４２の左右方向に延び、上面が太陽光の反射面に形成された複数枚のスラットが、前記窓の上下方向に所定の間隙を介して吊下げられていると共に、前記スラットの各反射面で反射された太陽光の反射光が、前記窓に沿った天井の中央軸線近傍に照射されて帯状明所部４８が形成されるように、前記スラットの反射面の傾斜角が調整されていることを特徴とする。【選択図】        図３
2004363042.tif 000002
【特許請求の範囲】
【請求項１】
窓から入射する太陽光を屋内の天井に向けて反射する太陽光採光装置において、
該窓の左右方向に延び、上面が太陽光の反射面に形成された複数枚のスラットが、前記窓の上下方向に所定の間隙を介して吊下げられていると共に、
前記スラットの各反射面で反射された太陽光の反射光が、前記窓に沿った天井の中央軸線近傍に照射されて帯状明所部が形成されるように、前記スラットの反射面の傾斜角が調整されていることを特徴とする太陽光採光装置。
【請求項２】
スラットの反射面が、凸面状に形成されている請求項１記載の太陽光採光装置。
【請求項３】
スラットの室内側端部と室外側端部とが、吊下紐によって吊下げられており、前記吊下紐の長さ調整によって前記スラットの傾斜角が調整されている請求項１又は請求項２記載の太陽光採光装置。
【請求項４】
吊下紐の長さ調整が、前記スラット間の吊下紐の所定長を曲折して挟み込むクリップによってなされている請求項３記載の太陽光採光装置。
【請求項５】
窓の左右方向に延び、前記窓の上下方向に所定の間隙を介して吊下紐によって所定の傾斜角で吊下げられている複数枚のスラットの傾斜角を部分的に調整するスラットの角度調整部材であって、
該角度調整部材として、前記スラットの各々を吊下げる吊下紐のうち、傾斜角を調整する前記スラットが下方側に位置するスラット間の吊下紐の所定長を、前記下方側のスラットが所望傾斜角となるように曲折して挟み込むクリップが用いられていることを特徴とするスラットの角度調整部材。
【発明の詳細な説明】
【０００１】
【発明の属する技術分野】
本発明は太陽光採光装置及びスラットの角度調整部材に関し、更に詳細には窓から入射する太陽光を屋内の天井に向けて反射する太陽光採光装置、及び窓の左右方向に延び、前記窓の上下方向に所定の間隙を介して吊下紐によって吊下げられている複数枚のスラットの傾斜角を部分的に調整するスラットの角度調整部材に関する。
【０００２】
【従来の技術】
近年、家屋の窓から入射する太陽光を屋内の天井に向けて反射し、屋内の全体を照明する太陽光採光装置が用いられつつある。
かかる太陽光採光装置としては、例えば下記特許文献１に提案されている。
【０００３】
【特許文献１】
特開平１０−３１７８５０号公報（特許請求の範囲、図１）
【０００４】
かかる太陽光採光装置の概要を図７に示す。図７は、太陽光採光装置１００を家屋の窓１０２の内側に設置し、窓１０２から入射する太陽光を、太陽光採光装置１００によって屋内１０２の天井１０６に反射する。
図７に示す太陽光反射装置１００には、窓１００の左右方向に延び、窓１００の上下方向に所定の間隙を介して複数枚のスラットが設けられている。このスラットの各々には、その上面が反射面に形成されており、この反射面で窓１０から入射する太陽光を室内１０２の天井１０６に反射するように、スラットが所定角度に傾斜されている。
更に、この太陽光反射装置１００では、上方のスラットほど室内１００の奥の天井１０６に太陽光の反射光を照射し、下方のスラットほど室内１００の窓際の天井１０６に太陽光の反射光を照射するように、スラットの各々の傾斜角が調整されている。
【０００５】
【発明が解決しようとする課題】
図７に示す太陽光反射装置１００によれば、室内１０４の床面の明るさは、図８に示す曲線Ａとなり、太陽光反射装置１００を設置しなかった場合の明るさを示す曲線Ｂよりも明るくなっている。
しかし、床面の明るさは、図８に示す曲線Ａに示す如く、室内１０４の奥側ほど低下する。この傾向は、太陽光反射装置１００を設置しなかった場合の明るさを示す曲線Ｂと略同一傾向である。
この様に、室内１０４の床面の明るさが、室内１０４の奥側ほど低下する場合には、窓１０２側が基準値以上に明るくなるものの、奥側が基準値以下となるときには、室内１０４の奥側の照明装置を点灯することが必要となる。
また、複数枚のスラットの各傾斜角を調整する際には、各スラットを吊り下げる吊下紐の長さを各スラット間で調整することが必要である。
しかし、各スラット間の吊下紐の長さを予め調整しておいても、太陽光反射装置１００の組立誤差等によって、吊下紐の長さを再調整することが必要となり、スラットの傾斜角の調整を困難としている。
そこで、本発明の課題は、太陽光が入射する窓から離れた室内の奥側でも充分に明るくできる太陽光採光装置及びスラットの傾斜角を容易に調整できる角度調整部材を提供することにある。
【０００６】
【課題を解決するための手段】
本発明者等は、前記課題を解決すべく検討を重ねたところ、窓から入射しスラットの各反射面で反射された太陽光の反射光を、窓に沿った室内の天井の中央軸近傍に照射して帯状明所部を形成することによって、室内の奥側でも充分に明るくできること、複数枚のスラットの各々を吊下げる吊下紐のうち、傾斜角を調整するスラットが下方側に位置するスラット間の吊下紐の所定長を、下方側のスラットが所望傾斜角となるように曲折して挟み込むクリップを用いることによって、スラットの各傾斜角を容易に調整できる見出し、本発明に到達した。
すなわち、本発明は、窓から入射する太陽光を屋内の天井に向けて反射する太陽光採光装置において、該窓の左右方向に延び、上面が太陽光の反射面に形成された複数枚のスラットが、前記窓の上下方向に所定の間隙を介して吊下げられていると共に、前記スラットの各反射面で反射された太陽光の反射光が、前記窓に沿った天井の中央軸線近傍に照射されて帯状明所部が形成されるように、前記スラットの反射面の傾斜角が調整されていることを特徴とする太陽光採光装置にある。
また、本発明は、窓の左右方向に延び、前記窓の上下方向に所定の間隙を介して吊下紐によって所定の傾斜角で吊下げられている複数枚のスラットの傾斜角を部分的に調整するスラットの角度調整部材であって、該角度調整部材として、前記スラットの各々を吊下げる吊下紐のうち、傾斜角を調整する前記スラットが下方側に位置するスラット間の吊下紐の所定長を、前記下方側のスラットが所望傾斜角となるように曲折して挟み込むクリップが用いられていることを特徴とするスラットの角度調整部材にある。
【０００７】
かかる本発明において、スラットの太陽光の反射面を、凸面状に形成することによって、凹面状の反射面で太陽光を反射する場合の如く、反射面で反射された太陽光の反射光が集束する焦点が室内側に形成されず、火災防止等の安全性の観点から好ましい。
また、スラットの室内側端部と室外側端部とを吊下紐によって吊下げ、前記吊下紐の長さ調整によって前記スラットの傾斜角を調整することによって、スラットの傾斜角の調整を容易に行うことができる。
【０００８】
本発明に係る太陽光採光装置によれば、窓から入射してスラットの各反射面で反射された太陽光の反射光が、窓に沿った天井の中央軸線近傍に照射される。このため、室内の天井の中央部近傍に帯状に延びる帯状明所部が形成される。
かかる帯状明所部からの散乱光によって、室内の奥の床面も明るくでき、窓からの散乱光等が照射される室内の窓際の床面と室内の奥の床面との明るさの相異を縮小できる。このため、室内の床面をバランスの取れた明るさとすることができる。
また、窓に沿った天井の中央軸線近傍に、スラットの各反射面で反射された太陽光を照射するには、スラットの各傾斜角を調整することが必要であるが、複数枚のスラットを吊下げる吊下紐のスラット間の長さが、スラットが所望傾斜角となるように、スラット間の吊下紐の所定長を曲折して挟み込むクリップを用いることによって、スラットの各傾斜角を容易に調整できる。
【０００９】
【発明の実施の形態】
本発明に係る太陽光採光装置の一例を図１に示す。図１に示す太陽光採光装置１０は、家屋の窓の内側に装着されるものであって、窓の左右方向に延び、上面が太陽光の反射面に形成された複数枚のスラット１２，１２・・が、窓の上下方向に所定の間隙を介して吊下紐１４ａ，１４ｂによって吊下げられている。
このスラット１２の各々は、突出部が上方に突出するドーム状に形成されており、太陽光の反射面が、その上面に形成されている。
従って、スラット１２の太陽光の反射面は凸面状であって、凹面状の反射面の如く、室内側に反射面で反射された太陽光の反射光が集束される焦点を形成することがない。このため、火災防止等の安全性の観点からも、突出部が上方に突出するドーム状のスラット１２を好適に用いることができる。
かかる反射面は、ドーム状に形成した樹脂から成るスラット１２の上面にアルミ箔を貼って形成してもよく、アルミ板をドーム状に曲折したスラット１２の上面を反射面に形成してもよい。
【００１０】
図１に示すスラット１２の各々は、その室内側端部と室外側端部とに吊下紐１４ａ，１４ｂが挿通されて吊下げられており、吊下紐１４ａ，１４ｂの一方を伸縮することによって、各スラット１２の傾斜角を同時に調整できる。
また、スラット１２の略中央部を貫通する貫通紐１６は、最下端に設けられた板体１８に連結されており、貫通紐１６を伸縮することによって板体１８が昇降し、スラット１２，１２・・を伸縮できる。
図１に示す太陽光採光装置１０では、スラット１２，１２・・の各反射面で反射された太陽光の反射光が、窓に沿った室内の天井の中央軸近傍に照射されるように、スラット１２，１２・・の反射面の傾斜角が調整されている。
図１の太陽光採光装置１０では、スラット１２の室内側端部に挿通された吊下紐１４ａの長さ調整によってスラット１２の傾斜角が調整されている。
この吊下紐１４ａの長さ調整は、所定のスラット間の吊下紐１４ａをクリップ２０で短縮することによって行うことができる。
【００１１】
図１で用いたクリップ２０は、図２（ａ）に示す様に、スリット部２２が形成され、端部の一方が開口部に形成された筒状部材２４内に、付勢部材としてのバネ２８によって筒状部材２４の開口部側に付勢されてピストン部材２６が挿入されている。このピストン部材２６には、切欠部２８が形成されており、切欠部２８の先端側壁面には、切欠部２８の内方に突出する突出部３０が形成されている。この突出部３０の端面は、筒状部材２４の内壁面から内方に延出されたストッパ３２に当接している。
かかるクリップ２０を用いてスラット間の吊下紐１４ａを短縮する際には、筒状部材２４のスリット部２２に吊下紐１４ａが挿通できるように、ピストン部材２６をバネ２８の付勢力に抗して押圧し、スリット部２２に吊下紐１４ａを挿通する。
次いで、ピストン部材２６を押圧する押圧力を開放することによって、ピストン部材２６はバネ２８の付勢力により筒状部材２４の開口部側に移動し、図８（ｂ）に示す様に、吊下紐１４ａは突出部３０の周面に沿って曲折されて短縮される。
【００１２】
図１に示す様に、クリップ２０によって所定のスラット間の吊下紐１４ａを短縮することによって、吊下紐１４ａが短縮されたスラット間よりも下方のスラット１２，１２・・は、それよりも上方のスラット１２，１２・・と傾斜角が異なる。このため、クリップ２０によって吊下紐１４ａが短縮されたスラット間よりも上方のスラット１２，１２・・と下方のスラット１２，１２・・との各反射面で反射された太陽光の反射光の射出方向が異なる。
図２に示すクリップ２０を一個又は複数個用いることによって、図１に示すスラット１２，１２・・の各反射面で反射された太陽光の反射光が、窓に沿った室内の天井の中央軸近傍に照射されるように、スラット１２，１２・・の反射面の傾斜角を調整できる。
かかるスラット１２，１２・・の傾斜角の調整は、スラット１２，１２・・の各々について行ってもよく、複数枚のスラット１２，１２・・を同時に調整してもよい。
【００１３】
スラット１２，１２・・の各反射面で反射された太陽光の反射光が、窓に沿った室内の天井の中央軸近傍に照射されるように、スラット１２，１２・・の反射面の傾斜角が調整された図１に示す太陽光採光装置を、窓の内側に設けた場合の例を図３に示す。
図３に示す室４０は、奥行きが８ｍであって、高さ１８０ｃｍの窓４２が天井４４から２０ｃｍのところに設けられている。
この窓４２の内側に設けた図１に示す太陽光採光装置１０のスラット１２，１２・・の各傾斜角を、窓４２から入射してスラット１２，１２・・の各反射面で反射した太陽光の反射光の中心線が、窓４２に沿った天井４４の中央軸４６（窓４２から４ｍの箇所）と交わるように調整した。
【００１４】
この様に、スラット１２，１２・・の各傾斜角を調整した太陽光採光装置１０によれば、各スラット１２の反射面から反射された太陽光の反射光は天井４４の中央軸４６の近傍に照射され、天井４４の中央軸４６の近傍には、帯状に延びる帯状明所部４８が形成される。
かかる帯状明所部４８からの散乱光によって、室４０の奥の床面も明るくでき、窓４２からの散乱光等が照射される室４０の窓際の床面と室４０の奥の床面との照度差を縮小できる。このため、室４０の床面をバランスの取れた明るさとすることができる。
【００１５】
ところで、図１に示す太陽光採光装置１０でクリップ２０によって吊下紐１４ａを短縮した際に、吊下紐１４ａに装着したクリップ２０よりも下方のスラット１２，１２・・の傾斜角が変更されるため、吊下紐１４ａ，１４ｂ間の幅も変更される。
一方、クリップ２０よりも上方のスラット１２，１２・・の傾斜角は変更されず、吊下紐１４ａ，１４ｂ間の幅も変更されない。
このため、吊下紐１４ａに装着したクリップ２０の直上のスラット１２には、吊下紐１４ａ，１４ｂ間の幅変更に因る内向きの力が加えられて変形や位置ずれを惹起することがある。この場合には、図４に示す様に、クリップ２０の直上のスラット１２に、その強度を補強する補強部材５０を装着することによって、吊下紐１４ａ，１４ｂ間の幅変更に因るスラット１２の変形や位置ずれを防止できる。
【００１６】
また、図１に示す太陽光採光装置１０に用いるクリップ２０に代えて、図５に示すクリップ６０又は図６に示すクリップ７０を用いることができる。
図５に示すクリップ６０は、図５（ａ）に示す様に、スリット部６４が形成された筒状部６２の一端側からＵ字状のスライダー６６が挿入されている。スライダー６６は、その外周面に形成されたストッパピン６８が、筒状部６２に形成された穴６５内に挿入されて抜け止めが図られている。
筒状部６２内に挿入されたスライダー６６は、図５（ｂ）に示す様に、筒状部６２の内壁面から突出するピン６７によって回転止めが図られている。
この図５に示すクリップ６０は、スライダー６６の先端部に設けられた鍔部６１ａ，６１ｂに、そのスリット部６３の幅を狭める方向に力を加えることによって、ストッパピン６８を筒状部６２の穴６５から抜き出し、スライダー６６を筒状部６２から抜き出すことができる。
スライダー６６を抜き出した筒状部６２のスリット部６４に吊下紐１４ａを挿通した後、筒状部６２の一端側からスライダー６６を挿入することによって、吊下紐１４ａは，図５（ｂ）に示す様に、スライダー６６の周面に沿って曲折されて短縮される。
一方、図６に示すクリップ７０は、吊下紐１４ａを曲折する挿入部材７２は、筒状部材７４に挿入されたとき、挿入部材７２に形成された鋸状歯部７６と筒状部材７４の内方に突出するラチェット７８とが歯合して係止される。
挿入部材７２を筒状部材７４から抜き出す際には、ラチェット７８が形成されたリリースレバー７１を引き出すことによって両者の歯合が外れ、挿入部材７２を抜き出すことができる。
【００１７】
ここで、図１に示す太陽光採光装置１０では、そのスラット１２，１２・・の傾斜角の調整をクリップ２０によって行っているが、スラット１２間の吊下紐１４ａ，１４ｂの長さを調整して行ってもよいことは勿論のことである。
また、クリップ２０（図２）、クリップ６０（図５）やクリップ７０（図６）は、太陽光採光装置１０のスラット１２，１２・・の傾斜角の調整用のみならず、一般のブラインドにも用いることができる。
例えば、窓の下部側に位置するスラットの傾斜角を、クリップ２０を用いて窓の下部側に位置するスラットの傾斜角を調整し、窓の下部側から入射する太陽光のみを遮光できる。この様に、窓の下部側から入射する太陽光のみを遮光することによって、スラットの全ての傾斜角を調整し、窓から入射する太陽光の全てを遮光する場合に比較して、採光量の低下を少なくでき、室内の明るさを略維持できる。
【００１８】
【発明の効果】
本発明に係る太陽光採光装置によれば、太陽光が入射する窓から離れた室内の奥側でも充分に明るくでき、室内の床面をバランスのとれた明るさにできる結果、窓側が基準値以上に明るくても、奥側が基準値以下となって、室内の奥側の照明装置を点灯する事態を解消でき、省エネルギーを図ることができる。
また、本発明に係るスラットの角度調整部材を用いれば、室内の明るさ等に応じてスラットの角度調整を容易に行うことができる。
【図面の簡単な説明】
【図１】本発明に係る太陽光採光装置の一例を説明する説明図である。
【図２】図１に示す太陽光光採光装置で用いるクリップを説明する断面図である。
【図３】窓に装着した図１に示す太陽光採光装置からの反射光の光路を説明する説明図である。
【図４】図１に示す太陽光採光装置の他の例を説明する説明図である。
【図５】図１に示す太陽光光採光装置で用いることができる他のクリップを説明する断面図である。
【図６】図１に示す太陽光採光装置で用いることができる他のクリップを説明する断面図である。
【図７】窓に装着した従来の太陽光採光装置からの反射光の光路を説明する説明図である。
【図８】図７に示す従来の太陽光装置を用いた室内の明るさを説明するグラフである。
【符号の説明】
１０  太陽光採光装置
１２  スラット
１４ａ，１４ｂ  吊下紐
１６  貫通紐
１８  板体
２０  クリップ
【図１】
2004363042.tif 000003
【図２】
2004363042.tif 000004
【図３】
2004363042.tif 000005
【図４】
2004363042.tif 000006
【図５】
2004363042.tif 000007
【図６】
2004363042.tif 000008
【図７】
2004363042.tif 000009
【図８】
2004363042.tif 000010